(57)【要約】【課題】  電子スタンプの技術を駐車場に応用することできる技術を提供する。【解決手段】  電子スタンプ(10)は、導電性のある材質にて形成された前記の突起パターン(11)と、その突起パターン(11)が帯電した場合の電荷を逃がす電荷放出手段(20)と、電子スタンプ本体を構造物(2)へ固定するための固定手段と、を備える。  電子スタンプを使う携帯端末(30)には、所定アプリケーションソフトウェアを予めインストールする。そのアプリケーションは、突起パターン(11)を携帯端末(30)へ接触させた場合に、その突起パターン(11)に応じたデータを出力手段、たとえば液晶やスピーカへ出力させる。【選択図】  図１
2018060495.tif 000002
【特許請求の範囲】
【請求項１】
表面に突起パターンを有する電子スタンプであって、
電子スタンプ本体および前記の突起パターンは、導電性のある材質にて形成するとともに、
前記の突起パターンが帯電した場合の電荷を逃がす電荷放出手段と、
前記の電子スタンプ本体を構造物へ固定するための固定手段と、
を備えた電子スタンプ。
【請求項２】
前記の電子スタンプ本体および前記の突起パターンを導電性プラスチックにて形成し、
前記の電荷放出手段は、前記の電子スタンプ本体および前記の構造体へ接触した金属板へ電荷を逃がすこととした請求項１に記載の電子スタンプ。
【請求項３】
前記の電荷放出手段は、前記の突起パターンから前記の構造物へ電荷を逃がすことができる構造とした請求項１に記載の電子スタンプ。
【請求項４】
前記の電荷放出手段は、前記の突起パターンが得た電荷を蓄積できる電池を備えることとした請求項１に記載の電子スタンプ。
【請求項５】
前記の突起パターンは、非導電性の材質による突起支持板と、
その突起支持板に支持される導電性のある複数の微小突起と、
その複数の微笑突起を電気的に導通させる導通路と、
で形成することとした請求項１に記載の電子スタンプ。
【請求項６】
前記の突起パターンを固定する金属製の取り付け用板材を備え、
前記の電荷放出手段は、その取り付け用板材とは別の金属材料との間に絶縁体を挟むことでコンデンサを形成することとした請求項１から請求項４のいずれかに記載の電子スタンプ。
【請求項７】
前記の突起パターンは、携帯端末用の通常突起パターンと、その通常突起パターンの突起長さを異ならせた突起にて形成される別情報突起パターンの少なくとも二種類を備え、
前記の別情報突起パターンは、通常突起パターンとは異なる情報を出力させるためのものとした請求項１から請求項６のいずれかに記載の電子スタンプ。
【請求項８】
請求項１から請求項７のいずれかに記載の電子スタンプと、
所定アプリケーションソフトウェアを予めインストールした携帯端末と、
を備えて形成される情報提供システムであって、
前記の所定アプリケーションソフトウェアは、前記の電子スタンプにおける突起パターンを前記の携帯端末へ接触させた場合に、その突起パターンに応じたデータを当該携帯端末の出力手段へ出力させるものとした情報提供システム。
【請求項９】
前記の所定アプリケーションソフトウェアは、前記の携帯端末が通信可能な状態となった場合であって、前記の電子スタンプにおける突起パターンを前記の携帯端末へ接触させた場合には、
所定サーバから所定データを受信するとともに、その所定データを前記の携帯端末の出力手段へ出力させることとした請求項７に記載の情報提供システム。
【請求項１０】
前記の携帯端末が通信可能な状態となった場合であって、前記の電子スタンプにおける突起パターンを前記の携帯端末へ接触させた場合において、
前記の所定アプリケーションソフトウェアを介して通信する所定のサーバは、前記の電子スタンプにおける突起パターンを前記の携帯端末へ接触させた場合の接触状態に関する接触状態データを当該携帯端末から受信する接触状態データ受信手段と、
その接触状態データ受信手段が受信した接触状態データを用いて、前記の電子スタンプにおける突起パターンが正常か否かを判断する突起パターン診断手段と、
その突起パターン診断手段による判断結果を出力する診断結果出力手段と、を備えた
請求項８または請求項９のいずれかに記載の情報提供システム。
【請求項１１】
表面に突起パターンを有する電子スタンプの製造方法であって、
導電性のある材質であって所定以上の体積を備えた板材に対して、所望する突起パターンを備えた突起形成板をプレスすることで所望する突起パターンを備えた突起形成板を形成する電子スタンプ本体の製造手順を含む電子スタンプの製造方法。
【発明の詳細な説明】
【技術分野】
【０００１】
本発明は、通信環境の有無にかかわらず駐車場ユーザに対する情報提供が可能な情報提供システム、およびその情報提供システムに用いる電子スタンプ、並びにその電子スタンプの製造方法に関する。
【背景技術】
【０００２】
大型のショッピングセンターの駐車場に車を停めた時、停めた位置がわからなくなることがある。たとえば、初めて訪れた場所や不慣れな場所、広大な駐車場、あるいは複数階におよぶ大型の駐車場などでは、大抵の人はわからなくて困った経験をすることがある。
また、上記のような広大または大型の駐車場を完備する施設、例えばショッピングセンターやデパートでは、駐車場への出入口が複数設けられている。そして、それらの出入口が施設との関係でどこに位置するのか、ということを把握したり、記憶したりすることは、易しいこととは言えない。そのため、自分が車を停めた位置から最も近い出入口、あるいは目的の売り場に近い出入口などを見つけるのに時間がかかったり、目的地から最も遠い出入口へ行ってしまったりすることがある。
【０００３】
そこで、ＧＰＳ機能を備えたスマートフォンを活用することで駐車した場所や駐車場の出入り口を把握する方法によって、上記の問題を解決しようとする駐車場ユーザは少なくない。
また、施設側がスマートフォン用の専用アプリケーションを提供することによって、前記の問題を解決するように工夫している場合もある。
しかし、駐車場が地下にある場合にはＧＰＳが機能せず、ユーザの自衛策が使えない場合も少なくない。
また、周囲の建物との関係で通信環境が悪い場合には、専用アプリケーションが役立たない場合もある。
【０００４】
ところで、「電子スタンプ」という技術が開発されている。電子スタンプとは、所定のアプリケーションソフトウェアを予めダウンロード、またはウェブブラウザで電子スタンプアプリケーションが組み込まれたページへアクセスしている携帯端末において使うことができる。
電子スタンプは、導電性プラスチックなどの素材でできた単純な文様のスタンプ部分と、そのスタンプ部分に接するとともにその電子スタンプを使う人の指が触れる把持部分とを備えている。押印すべき携帯端末における静電容量方式のタッチパネル（液晶）に対して、電子スタンプの把持部分を握った人が、単純な文様部分を押印する。タッチパネルを覆う電荷は、文様部分から把持部分を介して電子スタンプを握った人へ流れ、携帯端末はその文様部分を認識する。その文様に対応した出力画面を、所定のアプリケーションソフトウェアまたは所定のサーバへのアクセスを介して、出力画面を兼ねたタッチパネルへ出力する。
【０００５】
この電子スタンプを活用した発明としては、例えば特許文献１に開示された「電子チケットシステム」がある。すなわち、予めクーポンや電子チケットを店舗やイベントの利用者のスマートフォンに送付し、店舗やイベントの利用者は店頭やイベント会場においてスマートフォンのディスプレイに電子スタンプをタッチするだけで、クーポンや電子チケットの認証と利用実績の取得とが同時に可能である。
【０００６】
ユーザに係るスマートフォンなどの携帯端末の出力画面（液晶）を文様の媒体（スタンプ帳）とすればよいので、店舗などのサービス拠点に電子スタンプを設置するだけで済む。すなわち、サービス提供者側が媒体（スタンプ帳）やスタンプ帳への書き込みを実行する専用端末を設置する必要がない。
【先行技術文献】
【特許文献】
【０００７】
【特許文献１】特許第５８０４３９８号公報
【発明の概要】
【発明が解決しようとする課題】
【０００８】
電子スタンプの技術を駐車場に利用しようとする場合、各駐車場に対して駐車場管理者が準備した電子スタンプを、駐車場ユーザが手で持って自らのスマートフォンの出力画面へタッチ（押印）する、という方法が想定できる。
この場合、スマートフォンのタッチパネルの電荷を、電子スタンプを介した駐車場ユーザ自身へ導通させることができるので、所定の文様を出力画面へ残すことができるであろう。
【０００９】
しかし、手に持つことができる大きさの電子スタンプを各駐車場へ準備した場合、電子スタンプを持ち去られたり、破損したりする危険性が予測できる。したがって、現状の電子スタンプの技術を、そのまま駐車場におけるチケットとして流用することはできない。
【００１０】
本発明が解決しようとする課題は、電子スタンプの技術を駐車場に応用することできる技術を提供することにある。
【課題を解決するための手段】
【００１１】
（第一の発明）
第一の発明は、表面に突起パターン(11)を有する電子スタンプに係る。
この電子スタンプは、電子スタンプ本体(10)および前記の突起パターン(11)を導電性のある材質にて形成し、  その突起パターン(11)が帯電した場合の電荷を逃がす電荷放出手段(20)と、  前記の電子スタンプ本体(10)を構造物(2)へ固定するための固定手段と、を備える。
電子スタンプ本体(10)やその突起パターン(11)を形成する材質には、たとえば、導電性プラスチックを採用する。
【００１２】
（作用）
電子スタンプ(10)は固定手段を介して構造物(2)へ固定されている。そのため、電子スタンプ(19)が持ち去られる等のおそれが小さい。
また、電子スタンプ(10)には、前記の突起パターン(11)を通じて電荷を蓄積する電荷放出手段(20)が備えられているので、電子スタンプ(10)を持つ人間が居なくても放電させることができ、電子スタンプとして機能させることができる。
電荷放出手段を得るための電源工事、配線工事などを必要としない。そのため、電子スタンプを駐車場へ設置することについて、物理的な制約が小さいだけでなく、経済的な制約も小さい。
【００１３】
（第一の発明のバリエーション１）
第一の発明における電荷放出手段(20)は、前記の突起パターン(11)から前記の構造物(2)へ電荷を逃がすことができる構造としてもよい。
【００１４】
構造物(2)から電荷を逃がすためには、たとえば、その構造物(2)をアースする場合の他、その構造物(2)において設置されている他の電気機器（たとえば自動販売機）と導通させるなどの手段がある（図１１参照）。
【００１５】
（第一の発明のバリエーション２）
第一の発明は、以下のように形成してもよい。
すなわち、前記の電子スタンプ本体および前記の突起パターン(11)を導電性プラスチックにて形成する。  そして、前記の電荷放出手段は、前記の電子スタンプ本体および前記の構造体(2)へ接触した金属板へ電荷を逃がすこととする。
この場合、構造体(2)へのアース等の導通をしなくても、導電性プラスチックから金属板への電荷の移動のみで、放電させることができる。
【００１６】
（第一の発明のバリエーション３）
第一の発明における電荷放出手段は、前記の突起パターン(11) が得た電荷を蓄積できる電池(たとえばボタン電池22)を備える
ここで、「電池」は、突起パターン(11)を固定する金属製の取り付け用板材(12)へ備える場合の他、電子スタンプ本体へ備えることとしてもよい。
【００１７】
（作用）
電子スタンプ(10)を取り付けた取り付け用板材(12)を構造物(2)に固定するだけでよいので、電荷放出手段を得るための電源工事、配線工事などを必要としない。そのため、電子スタンプを駐車場へ設置することについて、物理的な制約が小さいだけでなく、経済的な制約も小さい。
【００１８】
（第一の発明のバリエーション４）
第一の発明は、以下のように形成してもよい。
すなわち、前記の突起パターン(11)は、非導電性の材質による突起支持板(13)と、  その突起支持板(13)に支持される導電性のある複数の微小突起(11f)と、  その複数の微笑突起(11f)を電気的に導通させる導通路(14)とで形成することとしてもよい（図１３参照）。
【００１９】
第一の発明は、前記の突起パターン(11)を固定する金属製の取り付け用板材(12)を備え、その取り付け用板材(12)とは別の金属材料との間に絶縁体を挟むことでコンデンサを形成することとしてもよい。
【００２０】
（第一の発明のバリエーション５）
第一の発明は、以下のように形成してもよい。
すなわち、前記の突起パターン(11)は、携帯端末用の通常突起パターンと、その通常突起パターンの突起長さを異ならせた突起にて形成される別情報突起パターン（たとえば点字パターン(11c)）の少なくとも二種類を備える。  その別情報突起パターン(11c)は、通常突起パターンとは異なる情報を出力させるためのものとする。
【００２１】
別情報突起パターンには、点字（11e）を含む。また、別情報突起パターンは、通常突起パターンと一体成型が可能である。
通常突起パターンとは異なる情報を出力させるための別情報突起パターンとしては、たとえば、目の不自由な人に係る携帯端末に対する電子スタンプの機能による出力（たとえば音声ガイダンス）を提供するものであっても良い。
【００２２】
（第二の発明）
第二の発明は、第一の発明に係る電子スタンプ(10)と、  所定アプリケーションソフトウェアを予めインストールした携帯端末(30)と、を備えて形成される情報提供システムに係る。
前記の所定アプリケーションソフトウェアは、前記の電子スタンプ(10)における突起パターン(11)を前記の携帯端末(30)へ接触させた場合に、その突起パターン(11)に応じたデータを当該携帯端末の出力手段へ出力させるものとする。
【００２３】
「携帯端末」とは、スマートフォン、タブレットＰＣなどであり、液晶などによる出力画面が入力デバイスを兼用しているものが望ましい。
「突起パターンに応じたデータ」とは、画面出力されるデータ（たとえば、テキストデータや画像データ）のほか、スピーカを介して出力される音声データ、またはそれらの組合せでもよい。
たとえば、その電子スタンプを設置してある場所（たとえば駐車場）の情報、その場所から所定の場所への地図またはナビゲーションデータなどである。そのデータが更新された場合には、携帯端末が通信可能な状態において、予めダウンロードされるのが一般的である。
【００２４】
（作用）
携帯端末(30)に係るユーザは、所定のアプリケーションソフトウェアを、自らの携帯端末(30)へ予めインストール（一般的にはダウンロード）しておく。
そのアプリケーションソフトウェアを起動させ、携帯端末(30)における入力デバイス兼用の液晶画面を電子スタンプ(10)の突起パターン(11)へ接触させる。すると、その突起パターン(11)に応じたデータがアプリケーションソフトウェアから呼び出され、そのデータが当該携帯端末(30)の出力手段へ出力される。
【００２５】
予めインストールしてあるアプリケーションソフトウェアから出力されるデータであるので、電子スタンプを使用した場所の通信環境が悪くても、所定のデータは出力される。そのため、電子スタンプを設置する場所の通信環境が悪い、たとえば地下駐車場、ビル内駐車場などにおいても、電子スタンプの機能を活用できる。
【００２６】
（第二の発明のバリエーション１）
第二の発明は、以下のように形成してもよい。
すなわち、  前記の所定アプリケーションソフトウェアは、前記の携帯端末(30)が通信可能な状態となった場合であって、前記の電子スタンプ(10)における突起パターン(11)を前記の携帯端末(30)へ接触させた場合には、  所定サーバ（たとえば、管理サーバ40）から所定データ（たとえば、携帯端末(30)の位置情報、時刻情報など）を受信するとともに、その所定データを前記の携帯端末(30)の出力手段へ出力させることとしてもよい。
【００２７】
（作用）
電子スタンプを(10)設置する場所の通信環境が悪い、たとえば地下駐車場へ電子スタンプ(10)が設置されており、駐車場ユーザが自らの携帯端末(30)にて電子スタンプ(10)によってデータを出力させたとする。
その後、駐車場から移動して通信環境が改善して通信が可能となった場合、所定サーバ(40)との通信を開始し、所定データを受信する。そして、その所定データは、駐車場ユーザに係る携帯端末(30)の出力手段から出力される。
なお、通信が可能となった場合、所定サーバ(40)は、携帯端末(30)が電子スタンプ(10)によってどのようなデータを出力させたか、について取得することとするのが一般的である。その携帯端末(30)がいつどこにあったのか、を知ることができ、すなわち、その携帯端末(30)に係るユーザがいつどこにいたのかを知ることができるからである。
【００２８】
たとえば、携帯端末(30)にＧＰＳ機能が搭載されており、位置情報を所定サーバ(40)が取得した場合には、その位置情報に関わる所定データ（たとえば最寄りの店舗における電子クーポン）を送信する。
所定サーバ(40)は、携帯端末(30)に係るユーザが通信環境の悪い駐車場を利用した旨であっても、専用回線や有線による回線がなくても知ることができる。
なお、第二の発明は、WiFi基地局や短距離通信機能を用いたユーザ位置の把握技術を組み合わせることを排除するものではない。
【００２９】
（第二の発明のバリエーション２）
第二の発明は、以下のように形成してもよい。
すなわち、  前記の携帯端末が通信可能な状態となった場合であって、前記の電子スタンプにおける突起パターンを前記の携帯端末へ接触させた場合において、
前記の所定アプリケーションソフトウェアを介して通信する所定のサーバ(40)は、前記の電子スタンプ(10)における突起パターン(11)を前記の携帯端末(30)へ接触させた場合の接触状態に関する接触状態データを当該携帯端末(30)から受信する接触状態データ受信手段と、
その接触状態データ受信手段が受信した接触状態データを用いて、前記の電子スタンプにおける突起パターンが正常か否かを判断する突起パターン診断手段と、
その突起パターン診断手段による判断結果を出力する診断結果出力手段と、を備えることとしてもよい。
【００３０】
「突起パターン(11)を前記の携帯端末(30)へ接触させた場合の接触状態に関する接触状態データ」とは、突起パターン(11)の摩耗や破損などを検知するためのデータである。携帯端末(30)のタッチパネルから放電される電荷の量などを検知することで得られる。
【００３１】
（作用）
所定のサーバ(40)においては、前記の電子スタンプ(10)における突起パターン(11)を前記の携帯端末(30)へ接触させた場合の接触状態に関する接触状態データを、当該携帯端末(30)から接触状態データ受信手段が受信する。  その接触状態データ受信手段が受信した接触状態データを用いて、前記の電子スタンプ(10)における突起パターン(11)が正常か否かを突起パターン診断手段が判断する。  その突起パターン診断手段による判断結果を診断結果出力手段が出力する。
突起パターン(11)が摩耗したり破損したりした場合などを検知することができるので、電子スタンプ(10)を交換するタイミングを遅らせないことに寄与する。たとえば、電子スタンプ(10)がいたずらによって破損させられても、素早く交換することに貢献する。
【００３２】
（第三の発明）
第三の発明は、表面に突起パターンを有する電子スタンプの製造方法に係る。
すなわち、導電性のある材質であって所定以上の体積を備えた板材(突起形成板16)に対して、所望する突起パターン(11)を備えた突起形成板(突起パターン形成用型50)をプレスすることで所望する突起パターン(11)を備えた突起形成板(16)を形成する電子スタンプ本体の製造手順を含む電子スタンプの製造方法である。
「導電性のある材質であって所定以上の体積」とは、例えば電子スタンプを押印する対象がスマートフォンである場合、アルミニウムの板材は２０立方センチメートル以上であればよいことが確認されている。突起パターン(11)をプレスして製造するのに都合の良い厚さ１ミリメートルのアルミニウム板材を採用する場合、１４センチメートル四方の板材であれば、電子スタンプとして機能した。
前記の電子スタンプ本体を、たとえば構造体へ直接固定することで、電子スタンプを形成できる。この場合の構造体の材質は、非導電性でなくてもよい。
なお、前記の電子スタンプ本体の製造手順に続いて、突起パターン(11)が帯電した場合の電荷を逃がす電荷放出手段(取り付け用板材12)を前記の突起パターン(11)とは反対側へ、前記の突起形成板(16)を固定する電荷放出手段の固定手順、を備えることで、連続使用をしても確実に放電が可能な電子スタンプを形成することもできる。
【００３３】
上記の製造方法にて製造された電子スタンプは、突起パターン(11)が後付けされたものではなく、プレスによる変形で形成されており、突起形成板(16)と一体であるので、後付けにて製造された電子スタンプに比べて突起パターンが丈夫である。
【発明の効果】
【００３４】
第一の発明によれば、電子スタンプの技術を駐車場に応用することできる電子スタンプを提供することができた。
第二の発明によれば、電子スタンプの技術を駐車場に応用した情報提供システムを提供することができた。
第三の発明によれば、駐車場に応用することに適した電子スタンプの製造方法を提供することができた。
【図面の簡単な説明】
【００３５】
【図１】本発明の実施形態に係る情報提供システムの概略説明図である。
【図２】電子スタンプを貼り付けた硬化ボードの電荷放出手段を概略的に示す斜視図である。
【図３】一般的な携帯端末の概略的な構成を示すブロック図である。
【図４】図１のユーザによる利用手順を具体的に図示した説明図である。
【図５】電子スタンプの電荷放出手段の他の例を示す斜視図である。
【図６】電子スタンプの電荷放出手段の他の例を示す斜視図である。
【図７】電子スタンプの電荷放出手段の他の例を示す斜視図である。
【図８】電子スタンプの電荷放出手段の他の例を示す斜視図である。
【図９】本発明の実施形態に係る情報提供システムの他の一例を示す斜視図である。
【図１０】本発明の実施形態に係る情報提供システムの他の一例を示す斜視図である。
【図１１】本発明の実施形態に係る情報提供システムの他の一例を示す斜視図である。
【図１２】本発明に係る電子スタンプにおける点字を含む場合を示す図である。
【図１３】電子スタンプの他の例を示す斜視図である。
【図１４】電子スタンプの電荷放出手段の他の例を示す斜視図である。
【図１５】電子スタンプの他の例を示す斜視図である。
【発明を実施するための形態】
【００３６】
以下、本発明の実施形態について、図面（図１から図１５）を参照して説明する。
本実施形態に係る情報提供システム１は、図１および図２に示すように、電子スタンプと、ユーザが所持するスマートフォンなどの携帯端末とを用いるものである。
【００３７】
電子スタンプ１０は、表面に突起パターン１１を有するとともに導電性を有しており、図１などに示した実施形態では、導電性プラスチックにて成型製造している。電子スタンプ１０の外形は、図１に示すように、円盤状をなしており、突起パターン１１は比較的簡単な紋様であり、高精度を要求されないので、比較的安価な３Ｄプリンターでも製造することができる。金属板をプレスすることでも製造できる。
なお、電子スタンプ１０と硬化ボード１２を一体成型してもよい。また、電子スタンプ１０の外形は、円盤状に限られない。
【００３８】
電子スタンプ１０は、例えば、Ａ４サイズの硬化ボード１２へ、簡単には取り外せないように固定してある。また、その硬化ボード１２は、構造物２へ簡単には取り外せないように固定してある。電子スタンプ１０は、本実施形態では、入力用の電子スタンプ１０ａと、消去用の電子スタンプ１０ｂとを、並べて固定している。
入力用の電子スタンプ１０ａは、表面に入力用の突起パターン１１ａを有しており、入力用の硬化ボード１２ａの表面に貼り付けている。一方、消去用の電子スタンプ１０ｂは、表面に消去用の突起パターン１１ｂを有しており、消去用の硬化ボード１２ｂの表面に貼り付けている。
【００３９】
入力用電子スタンプ１０ａおよび消去用電子スタンプ１０ｂにおけるいずれの突起パターン１１も、それが放電する電荷放出手段２０を備えている。例えば、入力用の硬化ボード１２ａの裏面には入力用の電子スタンプ１０ａに導通した放電用手段２１（導電性部材）を貼り付けている。一方、消去用の硬化ボード１２ｂの裏面には消去用の電子スタンプ１０ｂに導通した放電用手段２１（導電性部材）を貼り付けている。
【００４０】
前記の放電用手段２１は、例えば導電性プラスチック板にて提供できる。放電用手段２１は、放電が可能な構造物２に接触すれば良いので、図２に示すように、小さいものでよい。
なお、図２では放電用手段２１を厚く図示しているが、実際には薄いもので足りる。薄く形成すれば、構造物２へ固定しても邪魔になりにくい。硬化ボード１２は、放電用手段２１以外の範囲の裏面へ、例えば強力な接着剤を塗布することで構造物２へ固定することができる。
【００４１】
駐車場ユーザは、自らの携帯端末へ、前述した電子スタンプによる情報提供を受けるためのアプリケーションソフトウェアを、予めダウンロードしておく。このアプリケーションソフトウェアは、起動している最中に所定のサーバと常に通信をするのではなく、電子スタンプのパターンに合わせた情報を出力できるデータを含んでいる。そのため、通信環境が整っていない駐車場においても、アプリケーションソフトウェアの提供側の意図した情報を、駐車場ユーザへ提供できることとなる。
【００４２】
入力用の硬化ボード１２ａの表面には、図１に示すように、駐車場エリアとして（Ｐ１−３Ｆ）が表示され、駐車位置番号の範囲として（Ｓ３２５−Ｓ３２８）が表示され、「スマホ（スマートフォン）の画面を当ててください」といった明確な指示を表示している。駐車場ユーザとしては、自らの携帯端末（スマートフォン）に電子スタンプを押印すれば、駐車場位置番号を記憶する必要がない。
【００４３】
同様に、消去用の硬化ボード１２ｂの表面には、図１に示すように、消去用であることが表示され、「スマホ（スマートフォン）の画面を当ててください」といった明確な指示を表示している。駐車場ユーザは、自らの携帯端末（スマートフォン）から押印した電子スタンプを消去したい場合に、消去用の硬化ボード１２ｂを用いる。
なお、消去用の硬化ボード１２ｂに代わって、アプリケーションソフトウェアにおいて電子スタンプを消去する手段を提供してもよい。
【００４４】
上記の入力用の硬化ボード１２ａおよび消去用の硬化ボード１２ｂは、例えば、駐車場のすべての柱あるいは各エレベーターホールなどの駐車場内の構造物２へ固定している。例えば建物や柱などの構造物２がアースされている状態である場合には、入力用の電子スタンプ１０ａが入力用の硬化ボード１２ａの裏面の放電用手段２１を介して放電することになる。消去用の電子スタンプ１０ｂが消去用の硬化ボード１２ｂの裏面の放電用手段２１を介して放電することになる。
以上のように、入力用の硬化ボード１２ａおよび消去用の硬化ボード１２ｂは、単に構造物２に固定するだけでよく、電源工事などを必要としない。また、前述したように、電子スタンプによる情報提供をするためだけに、通信環境を整備する必要もない。
【００４５】
入力用の硬化ボード１２ａおよび消去用の硬化ボード１２ｂは、一例として、図１に示すように、左右方向で隣り合うように並べて貼り付け、その上側に、「ＰＡＲＫＩＮＧ  ＳＴＡＭＰ」のロゴマークと、「駐車位置をスマホに簡単記録できます。」といった簡潔な説明を表示している。さらに、２枚の入力用の硬化ボード１２ａと消去用の硬化ボード１２ｂの下側に「ユーザによる利用手順」を簡潔に表示している。
【００４６】
スマートフォンなどの携帯端末３０のハードウェア構成を図３に示す。すなわち、情報を表示する表示部３１と、この表示部３１に重ねて設けられたタッチパネル３２とが兼用となっている。タッチパネル３２は、電子スタンプ１０の突起パターン１１の突起に接触したときに前記の突起パターン１１を検出可能である。
【００４７】
タッチパネル３２としては、抵抗膜方式、静電容量方式、電磁誘導方式などいくつかの種類がある。一例として、静電容量方式のタッチパネル３２は、指やペンなどの放電する物体が接触した箇所の位置座標を電圧で読み取ることで、その位置情報が入力される。上記のタッチパネル３２の位置検出の原理は一般に公開されたものと同様であるので、詳しい説明は省略する。
【００４８】
携帯端末３０は、制御部３３、メモリ３４（記憶部）、通信部３５、ＧＰＳ３６などを内蔵している。制御部３３は、中央処理装置３３ａ（ＣＰＵ）と、プログラムに基づいて演算処理を実施する演算装置３３ｂと、演算装置３３ｂにて計算された突起パターン１１のデータを識別し判断する判断部３３ｃと、を備えている。
【００４９】
本実施形態では、メモリ３４へ予め所定のアプリケーションソフトウェアをダウンロードし、格納している。  そして、そのメモリ３４（記憶部）は、そのアプリケーションソフトウェアの一部として、複数の各突起パターン１１，１１，・・・に対応する表示情報を数多く記憶している。
通信部３５は、演算装置３３ｂにて処理されたデータやメモリ３４に記憶する情報を、公衆電話回線などの通信回線を介して、外部の管理サーバ４０と通信する。
【００５０】
駐車場ユーザは、図１および図４に示すように、車を所定の駐車場へ停めてから、前述の入力用の硬化ボード１２ａおよび消去用の硬化ボード１２ｂの下側に表示された指示に従って、携帯端末３０であるスマートフォンにて、所定のアプリケーションソフトウェアを起動させる。
続いて、そのスマートフォン３０のタッチパネル３２を、左の入力用の電子スタンプ１０ａにタッチする。入力用の突起パターン１１ａがタッチパネル３２に接触すると、突起パターン１１ａのパターン形状がタッチパネル３２を介して入力される。
【００５１】
突起パターン１１ａのパターン形状に基づく入力データ信号は、制御部３３の演算装置３３ｂにて計算され、判断部３３ｃにて突起パターン１１を判断して認識する。メモリ３４（記憶部）には、各種の突起パターン１１に対応する表示情報が予め格納（記憶）されているので、判断部３３ｃは、メモリ３４内のデータの中から、演算装置３３ｂで計算した突起パターン１１に対応する表示情報を判断して特定し、表示部３１にて表示する指示を与える。表示部３１（画面）には、駐車場ユーザの車に対応する駐車位置情報が表示される。
【００５２】
例えば、数多くの駐車箇所を備えた大型の駐車場においては、複数の駐車場エリアごとに電子スタンプ１０を構造物２に貼り付けて配置しておくことができる。電子スタンプ１０の種類が数多くなっても対応することができる。
【００５３】
所定のアプリケーションソフトウェアは、通信環境が悪い場所でも機能することを前提としているが、管理サーバとの双方向通信が確保できる駐車場における使用を排除してはいない。
スマートフォン３０のタッチパネル３２を電子スタンプ１０にタッチした時点で、スマートフォン３０の通信機能が使える場合、通信機能を利用して当該突起パターン１１を自動的に管理サーバ４０へ送信することとしてもよい。送信先の管理サーバ４０のデータベースから該当する情報を受信してメモリ３４に格納し、判断部３３ｃにて判断してスマートフォン３０の表示部３１（画面）に表示することもできる。
【００５４】
上記の突起パターン１１ａの入力情報を消去する場合は、スマートフォン３０のタッチパネル３２を右の消去用の電子スタンプ１０ｂにタッチする。消去用の突起パターン１１ｂがタッチパネル３２へ押圧されると、突起パターン１１ｂのパターン形状がタッチパネル３２を介して入力される。制御部３３では突起パターン１１ａの入力情報を消去する。
【００５５】
スマートフォン３０の表示部３１（画面）に表示する表示情報は、車の駐車位置情報だけでなく、種々の情報を表示することができる。例えば、大型駐車場では大型マーケットの複数の出入口を見つけることが難しい場合がある。その場合、上記の表示情報として、当該駐車位置からマーケットの最も近い出入口を表示したり、その出入口の近くの店舗の案内情報を表示したりすることができる。
【００５６】
また、例えば「当店舗にお立ち寄りくださるなら、○○のサービスを提供します」といった、店舗の案内情報を表示することができ、店舗側の宣伝およびユーザに対するサービスを拡大することができる。例えば、その具体例としては、図４に示すように、駐車位置情報の下に「喫茶が１０％ＯＦＦ」のサービス情報が表示される。
【００５７】
通信ができない場所では、スマートフォン３０の表示部３１（画面）に表示する表示情報としては、例えば車を停めた駐車場に複数の出入口があるとき、ＧＰＳ３６の位置情報機能を利用して現在地に近い出入口を案内することができる。その際に、前述のように、出入口の近くにある店舗のサービス等の宣伝情報を表示することができる。
【００５８】
電子スタンプ１０の電荷放出手段２０としては、前述の実施形態に限定されず、種々の方法がある。それについて、以下説明する。
例えば、放電用手段２１は、図５に示すように、硬化ボード１２の表面に貼り付けた電子スタンプ１０に導通し、かつ、硬化ボード１２の裏面の全体に貼り付ける。放電用手段２１は、例えばアルミニウム板材とする。その結果、電子スタンプ１０は構造物２との導通性が向上するので、スマートフォン３０のタッチパネル３２が電子スタンプ１０にタッチした時の反応（押印状態）を安定させることに寄与する。
【００５９】
裏面の放電用手段２１として異なる金属を重ねることで、いわゆる「電池」を形成することとしてもよい。この場合、構造物２がアースされていなくても、情報提供システム１が機能することになる。
【００６０】
電子スタンプ１０の電荷放出手段２０の他の実施形態としては、図６に示すように、硬化ボード１２は、導電性を有する材料で作製する。例えば、硬化ボード１２は導電性プラスチックで作製する。この結果、前述の場合と同様に、電子スタンプ１０は構造物２との導通性が向上するので、スマートフォン３０のタッチパネル３２が電子スタンプ１０にタッチした時の反応（押印状態）を安定させることに寄与する。
【００６１】
電子スタンプ１０の電荷放出手段２０の他の実施形態としては、図７に示すように、硬化ボード１２の裏面に電池、例えばボタン電池２２を取り付け、硬化ボード１２の表面の電子スタンプ１０が前記のボタン電池２２に導通する構成とする。この場合、構造物２がアースされていなくても、本実施形態の情報提供システム１が機能することになる。
【００６２】
電子スタンプ１０の電荷放出手段２０の他の実施形態としては、図８に示すように、硬化ボード１２の裏面に電池レス発電スイッチ２３を取り付け、硬化ボード１２の表面の電子スタンプ１０が前記の電池レス発電スイッチ２３に導通する構成とする。
この場合も、構造物２がアースされていなくても、本実施形態の情報提供システム１が機能することになる。さらに、電池レス発電スイッチ２３は、前述したボタン電池２２のように電池交換の必要がない。
【００６３】
本実施形態の情報提供システム１における他の一例として、図９に示すように、既存の構造物２が少ない場合、簡単なボードのような簡易的な構造物２ａを新たに設ける。
前記の簡易的な構造物２ａには、例えばフロア地図を描き、フロア地図に記載した複数の各駐車位置に対応する複数の電子スタンプ１０，１０，・・・を簡易的な構造物であるボード２ａに貼り付けることができる。
【００６４】
本実施形態の情報提供システム１における他の一例として、既存の構造物２が少ない場合、図１０に示すように、駐車場の任意の箇所へ机２ｂを動かせないように設置し、この机２ｂの上に、前述の電子スタンプ１０を固定することとしてもよい。
【００６５】
本実施形態の情報提供システム１における他の一例として、既存の構造物２がアースされている場合は、前述のように電子スタンプ１０を貼り付けた硬化ボード１２を、構造物２に貼り付ければよい。
しかし、既存の構造物２がアースされていない場合、図１１に示すように、近くに自販機３ａや精算機３ｂなどがある場合、放電する機械設備３からケーブル２４で放電用手段２１に接続し、放電させることとしてもよい。
【００６６】
図１２を用いて、目の不自由な方に使用していただく電子スタンプについて説明する。
図１２（Ａ）は、他の実施形態に係る電子スタンプの側面図である。図１２（Ｂ）および（Ｃ）は、他の実施形態に係る電子スタンプの平面図である。  図１２（Ｃ）には、携帯端末３０を低い突起パターンへ接触させた状態を示す。
入力用の電子スタンプ１０ａにおいて、突起パターン１１とは突起の高さを低くした別の突起パターン１１ｃ、および点字１１ｅを備えている。この別の突起パターン１１ｃは、点字用突起パターンであり、点字１１ｅは、指でなぞるとメッセージとなっている。
【００６７】
また、点字用突起パターン１１ｃよりも高い高さで、平面形状がＬ字形をなす携帯端末位置決めストッパ１１ｄも備えられている。この携帯端末位置決めストッパ１１ｄへ目の不自由な方に係る携帯端末を合わせると、予め所定のアプリケーションソフトウェアをダウンロードしてあると、点字用突起パターン１１ｃに対応する出力データを呼び出し、出力させることができる。たとえば、その電子スタンプ１０ａの場所がどこであるか、の音声ガイダンスを出力する。
【００６８】
上記した電子スタンプ１０ａは、異なる種類の突起パターン１１を複数備えているが、導電性樹脂の一体成型にて製造することが可能である。そのため、大きなコストを掛けることなく、目の不自由な人にも使用できる電子スタンプを提供できる。
【００６９】
管理サーバ４０には、電子スタンプ１０における突起パターン１１を携帯端末３０へ接触させた場合の接触状態に関する接触状態データを当該携帯端末３０から受信する接触状態データ受信手段と、  その接触状態データ受信手段が受信した接触状態データを用いて、電子スタンプ１０における突起パターン１１が正常か否かを判断する突起パターン診断手段と、  その突起パターン診断手段による判断結果を出力する診断結果出力手段と、を備えている。
【００７０】
管理サーバ４０においては、電子スタンプ１０における突起パターン１１を前記の携帯端末３０へ接触させた場合の接触状態に関する接触状態データを、当該携帯端末３０から接触状態データ受信手段が受信する。  その接触状態データ受信手段が受信した接触状態データを用いて、突起パターン１１が正常か否かを突起パターン診断手段が判断する。  その突起パターン診断手段による判断結果を診断結果出力手段が出力する。
突起パターン１１が摩耗したり破損したりした場合などを検知することができるので、その電子スタンプ１０を交換するタイミングを遅らせないことに寄与する。たとえば、電子スタンプ１０がいたずらによって破損させられても、素早く交換することに貢献する。
【００７１】
（図１３、図１４）
図１３および図１４には、異なるタイプの電子スタンプを図示している。
図１３に示す電子スタンプは、非導電性の例えば紙製の突起支持板１３が複数の微小突起１１ｆを支持している。その微小突起１１ｆは裏面において導電性のある導通路にて電気的に接続されている。また、突起支持板１３の裏面は、別の板状体（図１４における取り付け用板材１２）などへ貼付されることで微小突起１１ｆを含む突起支持板１３を固定するための粘着面１３ａとして形成されている。
【００７２】
図１４には、図１３に示した粘着面１３ａを用いて導電性の取り付け用板材１５へ貼付固定された微小突起１１ｆを含む突起支持板１３を示す。
このように形成した電子スタンプを、前述した情報提供システム１に用いることもできる。
【００７３】
（図１５）
図１５は、更に異なるタイプの電子スタンプを図示している。
図１５に示す電子スタンプは、導電性のある板材（例えば金属板、より具体的にはアルミニウム板）を突起形成板１６として準備する。そして、その突起形成板１６に形成したい突起型５１を備えた型材たる突起パターン形成用型５０を、突起形成板１６の裏面からプレスすることで、突起パターン１１を備えた突起形成板１６を完成させる。
前記の突起パターン１１は、突起形成板１６と一体であるので、丈夫であったり、突起形成板１６の材料によっては製造が容易であったり、といった特徴がある。
【００７４】
突起パターン１１を備えた突起形成板１６は、その突起パターン１１の裏面を非導電性材料の取り付け用板材１２へ固定し、電子スタンプとして形成するのである。
このように形成した電子スタンプもまた、前述した情報提供システム１に用いることもできる。
なお、前記の取り付け用板材１２は、前記の突起形成板１６にアルミニウム板を採用し、且つその体積が２０立方センチメートル以上である場合には、非導電性材料でなくても電子スタンプとして機能する。
【産業上の利用可能性】
【００７５】
本発明は、駐車場提供などのサービス業、電子スタンプの製造業、電子スタンプを用いたデータサービス業、建設業、マーケットデパート等の販売業、車両（自動車や電車など）の関連業務サービス業など、幅広い範囲において利用可能性を有する。
【符号の説明】
【００７６】
１  ；情報提供システム
２  ；構造物                            ２ａ；簡易的な構造物
２ｂ：机
３  ；機械設備                          ３ａ；自販機
３ｂ；精算機
１０  ；電子スタンプ（本体）
１０ａ；入力用の電子スタンプ            １０ｂ；消去用の電子スタンプ
１１  ；突起パターン
１１ａ；入力用の突起パターン            １１ｂ；消去用の突起パターン
１１ｃ；点字用突起パターン              １１ｄ；携帯端末位置決めストッパ
１１ｅ；点字
１１ｆ；微小突起パターン（導電性）
１２  ；硬化ボード (取付け用板材)
１２ａ；入力用の硬化ボード              １２ｂ；消去用の硬化ボード
１３  ；突起支持板（非導電性）            １３ａ；粘着面
１４  ；導通路（導電性）
１５  ；取り付け用板材（導電性）
１６  ；突起形成板（導電性）
２０  ；電荷放出手段                    ２１  ；放電用手段（導電性部材）
２２  ；ボタン電池                      ２３  ；電池レス発電スイッチ
３０  ；携帯端末                        ３１  ；表示部（画面）
３２  ；タッチパネル                    ３３  ；制御部
３３ａ；中央処理装置（ＣＰＵ）          ３３ｂ；演算装置
３３ｃ；判断部                          ３４  ；メモリ（記憶部）
３５  ；通信部                          ３６  ；ＧＰＳ
４０  ；管理サーバ
５０  ；突起パターン成形用型            ５１  ；突起型
【図１】
2018060495.tif 000003
【図２】
2018060495.tif 000004
【図３】
2018060495.tif 000005
【図４】
2018060495.tif 000006
【図５】
2018060495.tif 000007
【図６】
2018060495.tif 000008
【図７】
2018060495.tif 000009
【図８】
2018060495.tif 000010
【図９】
2018060495.tif 000011
【図１０】
2018060495.tif 000012
【図１１】
2018060495.tif 000013
【図１２】
2018060495.tif 000014
【図１３】
2018060495.tif 000015
【図１４】
2018060495.tif 000016
【図１５】
2018060495.tif 000017